(57)【要約】【課題】洗面器に玩具としての機能を追加しながら、洗面器本来の機能も確保し、スペースが限られた風呂場に、物が増えるのを防ぐ。タイマーの機能やゲーム性を持たせ、子供が興味を示す玩具を提供すると共に、未使用時は、他の玩具と共に、片付けも用意にできる事。【解決手段】下記の様に構成する。  １，底面に小孔を設けた洗面器の上部外周に、３本以上の紐を取り付ける。  ２，紐の端部を束ね、錘を取り付ける。錘は、逆Ｊ型とする。  ３，洗面器の底部内側に、錘を固定する為のステーを設け、錘を固定した際、  ４，底面の小孔が塞がる様に装置する。【選択図】    図２
2005199000.tif 000002
【特許請求の範囲】
【請求項１】
洗面器の内側底面中央部に、握り棒を装着した玩具において、下記１から６の、いずれかの構造を有する事を特徴とする、風呂用玩具。
１，握り棒を中空パイプとし、かつ、パイプの側面に、１個以上の貫通孔を設けた。
２，握り棒を中空パイプとし、パイプの端部を密閉せず、開放とした。
３，握り棒の断面形状を、Ｃ型・Ｘ型・Ｈ型・Ｚ型・Ｔ型・Ｍ型又は、これに類する形状とした。
４，上記３の構造で、握り棒の外側に、円筒形のカバーを設けた。
５，握り棒を、伸縮及び、折り曲げる事が可能な、蛇腹構造とした。
６，握り棒を、中空の蛇腹構造とし、その側面に、１個以上の貫通孔を設けた。
【請求項２】
洗面器に、下記１から４の構造を装置した事を特徴とする、風呂用玩具。
１，上側外周部分に、ほぼ均等な間隔で３本以上の紐状部材を取付ける。紐状部材とは、糸・チェーン・ロープ・ワイヤー・ベルト・紐などを指す。
２，上記紐状部材の他端は、洗面器の中央部で、かつ、洗面器よりも上側で束ねる。
３，複数の紐状部材を束ねた部分に、錘を取付ける。錘の重量は、洗面器本体と紐状部材及び錘を合計した時の比重が、１．０よりも大きくなる様に設定する。
４，紐状部材は、洗面器に固定又は、着脱可能に構成する。着脱可能とは、例えば、洗面器の上部外周に小孔を設け、紐状部材の端部を、釣針形状や、キーホルダーの金具形状とし、洗面器の小孔に紐状部材を取付ける構成などを指す。
【請求項３】
洗面器の内側底面に、錘部分を、着脱可能に保持可能な形状を装置した事を特徴とする、請求項２に記載の風呂用玩具。着脱可能に保持とは、例えば、次の様な構成を指す。
Ａ，洗面器底面に、複数の突起を設け、錘部分を嵌め込む。
Ｂ，洗面器と錘の、どちらか一方に凸部を設け、もう一方に凹部又は貫通孔を設ける。
【請求項４】
洗面器の底面または、底部近傍の側面に、１個又は複数の貫通した小孔を設けた事を特徴とする、請求項１から請求項３に記載の、風呂用玩具。
【請求項５】
洗面器の底面裏側に、ジグソーパズルまたは、これに類する嵌め込み式のパズルを装置し、パズルの、各嵌め込み部品の比重は、１．０よりも小さい事を特徴とする、請求項４に記載の、風呂用玩具。
【発明の詳細な説明】
【技術分野】
【０００１】この発明は、入浴時に、風呂場で使用する為の玩具に関する。
【背景技術】
【０００２】入浴用の玩具として、例えば、実用新案登録第２５３１７７７号が有る。しかし、この実用新案の内容には課題が多く、また、機能が不足していた。本発明は、その課題を解決し、さらに使い易い入浴用の玩具を提供する。
【発明の開示】
【発明が解決しようとする課題】
【０００３】実用新案登録第２５３１７７７号は、洗面器の内側中央部に握り棒を設け、裏返して浴槽に浮かべると、ひっくり返らずに揺れながら浮かぶと言う考案である。しかしこの構造では、握り棒に浮力が発生してしまう為、ひっくり返らない為には、より重い錘を装着する必要があった。そうなると、製品全体の重量が増加し、子供が使用する玩具として適さないと言う欠点が有った。握り棒を細くすると、浮力の増加は押さえられるが、子供が握り難くなり、機能低下を招く。
また、握り棒の着脱が面倒で、通常の洗面器として使用する時に、握り棒が邪魔になると言う欠点も有った。
本発明は、この課題を解決し、軽量で、さらに使い易く、高機能化する事を目的とする。
【課題を解決する為の手段】
【０００４】実用新案登録第２５３１７７７号と同様の機能を発揮しながら、前述の課題を解決する手段として、下記の２種類の構造発明した。
１，握り棒を中空パイプとし、内部に水が入る様にする事で、浮力を押さえる。
同様に、円形以外の異形断面棒とし、浮力を押さえながら強度を確保した。
２，握り棒の替わりに、上部外周に取付けた紐状部材に、錘を取り付ける。
また、錘で小孔を塞ぐ事を可能な構造とし、洗面器としての機能を確保した。
【発明の効果】
【０００５】本発明により、軽量で使い易い、風呂用の玩具を提供できる。また、錘を紐状部材で吊り下げる構造では、玩具として使用しない時に、通常の洗面器と同様に使える為、狭い風呂場でも、余分な玩具が増える事が無い。
【発明を実施する為の最良の形態】
【０００６】底部に小孔を開けた洗面器の、上部外周に、３本以上の紐状部材を取付け、束ねた紐の先端に、逆Ｊ型の錘を取付ける。洗面器内側底部には、錘を固定する為の形状を設け、錘を固定すると、低部の小孔が塞がる様に装置する。
また、玩具としてのゲーム性向上の為、洗面器の底面下側に、ジグソーパズルを装置する。
【実施例】
【０００７】図１は、主として請求項１の実施例を表す。洗面器１に、握り棒２を装置する。握り棒は、６部で嵌め込むか、ねじ込む方法等で、着脱自在に取付ける。握り棒２は、中空パイプであり、側面に貫通した小孔４を設ける。３は、棒状部材２の上部に取付けた錘で、５は、洗面器の底部に設けた貫通孔であり、請求項４の内容である。
以上の様に装置し、風呂の湯面に浮かべると、錘の為に洗面器はひっくり返らない。
そして小孔５から空気が抜ける為、本体はゆっくりと沈む。この動きにより、洗面器底部の裏側をテーブルとて遊ぶ事ができる。ゆっくりと沈む事で、タイマーとしての機能も有る。
この時、握り棒の内部に空気が入っていたり、握り棒が軽い材質の場合、その分、錘の重量を重くしないと、本体はひっくり返ってしまう。
そこで、握り棒２を中空パイプとし、側面に小孔４を設ければ、棒の内部に水や湯が入る為、棒の浮力が押さえられ、錘の重量を軽くする事が可能となる。
握り棒２の断面を、Ｃ型にする構造や、Ｈ型やＴ型などに成形して、握る部分だけ円筒形のカバーを装着する構成でも、上記と同様の効果を得る事ができる。
また、握り棒２を６部分で取り外せば、通常の洗面器として使用できるが、握り棒２を蛇腹構造にすれば、取り外さなくても、折り曲げたり縮めたりする事により、同様の効果を得る事ができる。以上が請求項１及び４の実施例である。【０００８】図２は、主に請求項２と４の実施例を表す。小孔５を設けた、洗面器１の上部外周に、３ヶ所の小孔９を設け、紐１０を取付ける。紐１０は洗面器の中央上部７で束ね、錘８を取付ける。
以上の構成により、図１の構造と全く同じ機能を発揮する。
また、錘８を図２の様に、逆Ｊ型に成形しておけば、突っ張り棒などに吊下げておく事が可能で、風呂場が片付く。濡れた玩具等を本発明品の中に入れて吊下げておけば、小孔５から水が抜けるので乾く。以上が、請求項２及び４の実施例である。【０００９】図３は、請求項３の実施例を表す。１１は、本発明品を洗面器として使用する際、錘８を固定するステーである。請求項２の構造では、錘８を紐６で連結している為、洗面器１を上向きに置くと、錘８は洗面器１の内側底部に落ちる。その時、洗面器１の底部に設けたステー１１に錘８を嵌め込んで固定し、同時に、錘８によって小孔５を塞いでしまえば、本発明品は、通常の洗面器と全く同じ様に使用する事が可能となる。紐１０は、使用上、邪魔にはならない。
以上が、請求項３の実施例である。【００１０】請求項５の実施例としては、図１の底部裏側に、ジグソーパズル１２を貼りつける。この構成により、風呂の湯面に、裏返して浮かべた本発明品が、ゆっくりと沈んで行く時に、パズルを嵌め込み完成させるゲームを行う事ができる。
パズルの部品を、比重が１．０以下の軽い材質で作っておけば、本体が完全に沈んだ時に、部品だけが湯面に浮いてしまい、バラバラになる。
つまり、本体が沈むまでの、一定時間内にパズルを完成させる必要があり、さらにゲーム性が増す事になる。以上が、請求項５の実施例である。
【産業上の利用可能性】
【００１１】本発明は、子供が風呂場で遊ぶ為の玩具であり、通常の洗面器としての機能も確保した。
【図面の簡単な説明】
【００１２】
【図１】請求項１の実施例を表す。洗面器の内側に、中空パイプの握り棒を取付け、その側面に、貫通孔を設けた。また、請求項４と５の実施例も含まれている。
【図２】請求項２の実施例を表す。洗面器の上部外周に紐を取付け、逆Ｊ型の錘を使って洗面器を吊り下げる。本図は、吊下げた状態を表すが、上下を逆にすれば、玩具として使用中の図になる。また、請求項３と４の実施例も含まれている。
【図３】請求項２の実施例を表す。洗面器の内側に設けたステーに、逆Ｊ型の錘を固定し、洗面器底部の小孔を塞いだ図で、洗面器として使用する状態を表す。請求項３と４の実施例も含まれる。
【符号の説明】
【００１３】    １，風呂用洗面器の本体
２，握り棒
３，錘
４，握り棒に設けた、貫通孔
５，洗面器底部又は底部近傍に設けた貫通孔
６，握り棒の、取付け部
７，複数の紐状部材を束ねている部分
８，Ｊを逆向きにした形状の錘
９，紐状部材を洗面器に取付ける為の小孔
１０，紐状部材
１１，錘を洗面器に固定する為の突起
１２，洗面器の底部裏側に設けた、ジグソーパズル
【図１】
2005199000.tif 000003
【図２】
2005199000.tif 000004
【図３】
2005199000.tif 000005